(57)【特許請求の範囲】
【請求項１】
分散型発電デバイスと空調システム固有のデバイスを含み、前記空調システム固有のデバイスは、前記分散型発電デバイス、または、前記分散型発電デバイスと幹線給電によって給電され、前記空調システム固有のデバイスに電力を供給する分散型発電に基づく空調システムに適用される、分散型発電に基づく空調システム用監視システムであって、
前記分散型発電デバイスの発電状態情報を監視する分散型発電監視サブシステムと、
前記空調システム固有のデバイスの電力消費状態情報を監視し前記分散型発電デバイスの調整及び制御を行うＨＶＡＣエネルギー管理サブシステムと、
前記発電状態情報と電力消費状態情報をそれぞれ取得し、前記発電状態情報と電力消費状態情報に応じて前記空調システムに総合的な監視を行う主監視システムと、
を含み、
前記主監視システムは、
前記発電状態情報を取得して記憶し、前記分散型発電監視サブシステムへ前記電力消費状態情報を送信する第１の主制御サブユニットと、
前記電力消費状態情報を取得して記憶し、前記ＨＶＡＣエネルギー管理サブシステムへ前記発電状態情報を送信する第２の主制御サブユニットと、
前記発電状態情報及び／又は電力消費状態情報に応じて、前記分散型発電デバイスの発電状態を制御する第１の主制御指令と、前記空調システム固有のデバイスの電力消費状態を制御する第２の主制御指令の、少なくとも１つを含む主制御指令を生成する第３の主制御サブユニットとを含み、
前記分散型発電監視サブシステムとＨＶＡＣエネルギー管理サブシステムは、それぞれ第１の伝送プロトコルによって前記主監視システムとデータ交換を行う、ことを特徴とする分散型発電に基づく空調システム用監視システム。
【請求項２】
前記第１の伝送プロトコルはＢＡＣｎｅｔ／ＩＰプロトコルを含むことを特徴とする請求項１に記載の分散型発電に基づく空調システム用監視システム。
【請求項３】
前記分散型発電デバイスは太陽光発電デバイスであることを特徴とする請求項１に記載の分散型発電に基づく空調システム用監視システム。
【請求項４】
ＴＣＰ／ＩＰプロトコルによって前記主監視システムとデータ交換を行うリモート制御端末、及び／又は、ＲＳ４８５プロトコル、ＢＡＣｎｅｔプロトコル、ＭｏｄｂｕｓプロトコルまたはＣＡＮプロトコルによって前記主監視システムとデータ交換を行うシステムホストマンマシンインターフェースをさらに含むことを特徴とする請求項１に記載の分散型発電に基づく空調システム用監視システム。
【請求項５】
前記分散型発電デバイスは、太陽光発電モジュールの発生した直流電力を集めて出力するコンバイナボックスと、交流負荷に電力を供給するインバーターとを含み、
前記発電状態情報は、前記分散型発電デバイスの発電量の大きさを表すコンバイナボックス出力電流、及び前記分散型発電デバイスの給電量の大きさを表すインバーター出力電流を含み、
前記分散型発電監視サブシステムは、前記コンバイナボックス出力電流とインバーター出力電流をそれぞれ取得し、前記第１の伝送プロトコルによって前記主監視システムとデータ交換を行うデータ収集器を含むことを特徴とする請求項１に記載の分散型発電に基づく空調システム用監視システム。
【請求項６】
前記分散型発電監視サブシステムは、前記データ収集器に接続された、前記データ収集器による収集結果を表示する発電監視マンマシンインターフェースをさらに含むことを特徴とする請求項５に記載の分散型発電に基づく空調システム用監視システム。
【請求項７】
前記空調システム固有のデバイスは、システムホストと、冷凍水ポンプと、冷却水ポンプと、冷却塔との少なくとも１つを含み、
前記ＨＶＡＣエネルギー管理サブシステムは、
前記第１の伝送プロトコルによって前記主監視システムとデータ交換を行う主制御器と、
前記電力消費状態情報が得られるように、前記空調システム固有のデバイスに対して一対一の検出を行い、前記電力消費状態情報を前記主制御器に出力する電力計と、
を含むことを特徴とする請求項１に記載の分散型発電に基づく空調システム用監視システム。
【請求項８】
前記ＨＶＡＣエネルギー管理サブシステムは、
前記主制御器によって第２の制御指令を取得し、前記第２の制御指令に応じて前記空調システム固有のデバイスを連動制御する現場制御器をさらに含むことを特徴とする請求項７に記載の分散型発電に基づく空調システム用監視システム。
【請求項９】
前記ＨＶＡＣエネルギー管理サブシステムは、
ユーザーの操作指令に応じて空気パラメータ制御指令を生成し、前記主制御器とデータ交換を行うエリア制御器と、
前記空気パラメータ制御指令に応じて室内空気パラメータを制御する末端制御器と、をさらに含み、
前記末端制御器は、温度制御器、新鮮な空気制御器、還気制御器の少なくとも１つを含むことを特徴とする請求項７に記載の分散型発電に基づく空調システム用監視システム。
【請求項１０】
分散型発電デバイスと空調システム固有のデバイスを含み、前記空調システム固有のデバイス前記分散型発電デバイス、または、前記分散型発電デバイスと幹線給電によって、前記空調システム固有のデバイスに電力を供給する、分散型発電に基づく空調システムであって、
請求項１〜９のいずれか一項に記載の空調システム用監視システムをさらに含むことを特徴とする空調システム。
【請求項１１】
前記空調システム固有のデバイスは、遠心冷凍機ユニット及び／又はスクリュー冷凍機ユニットを含むことを特徴とする請求項１０に記載の空調システム。
【発明の詳細な説明】
【技術分野】
【０００１】
本特許出願は、２０１３年１２月６日に出願された、特許出願番号が２０１３１０６５６８４０．９であって、名称が「分散型発電に基づく空調システム用監視システム及びそれを適用する空調システム」である中国発明特許出願を基礎として優先権を主張するものであり、ここに全文を参考として取り込む。
【０００２】
本出願は、空調機制御の技術分野に関し、特に、分散型発電に基づく空調システム用監視システム及びそれを適用する空調システムに関する。
【背景技術】
【０００３】
分散型発電に基づく空調システムは、分散型発電デバイスを配置するインバーターエアコンシステムであり、前記分散型発電は太陽光発電、風力発電、風光相補発電、バイオマス発電等を含む。分散型発電デバイスの発生した電気エネルギーはこの空調システムに供給され、一部さらに全部は都市電力網による給電を替えて、都市電力網による給電の負担が減少され、かつ発電デバイスはすべて、自然やグリーンエネルギーを採用して、空調システムの運行コストが低下される。このため、分散型発電に基づく空調システムは広い適用前景を有している。
【０００４】
一般的な空調システムと比べると、分散型発電に基づく空調システムは分散型発電デバイスを追加している。従来の技術において、この分散型発電デバイスの発電状況に対する監視と、システムホストなどの空調システム固有のデバイスの電力消費状況に対する監視は、それぞれ独立して行われるものであって、空調システムの運行状況によって合理的に電気エネルギーを配分することができず、空調システム全体の協調制御に不利である。
【発明の概要】
【発明が解決しようとする課題】
【０００５】
これに鑑み、本出願の目的は、従来の分散型発電に基づく空調システムが、その分散型発電デバイスと他の固有のデバイスをそれぞれ独立して監視して、システム全体の協調制御能力が悪い問題を解決するように、分散型発電に基づく空調システム用監視システム及びそれを適用するシステムを提供することにある。
【課題を解決するための手段】
【０００６】
上述した目的を達成するために、本出願は以下のような技術方案を提供し、
分散型発電デバイスと空調システム固有のデバイスを含み、前記空調システム固有のデバイスは、前記分散型発電デバイス、または、前記分散型発電デバイスと幹線給電によって給電され、前記空調のシステム固有のデバイスに電力を供給する分散型発電に基づく空調システムに適用される分散型発電に基づく空調システム用監視システムであって、
前記分散型発電デバイスの発電状態情報を監視する分散型発電監視サブシステムと、
前記空調システム固有のデバイスの電力消費状態情報を監視するＨＶＡＣ（Heating, Ventilation and Air Conditioning、暖房・換気・空調）エネルギー管理サブシステムと、
前記発電状態情報と電力消費状態情報をそれぞれ取得し、前記発電状態情報と電力消費状態情報に応じて前記空調システムに総合的な監視を行う主監視システムと、
を含み、
前記分散型発電監視サブシステムとＨＶＡＣエネルギー管理サブシステムのそれぞれは、第１の伝送プロトコルによって前記主監視システムとデータ交換を行う。
【０００７】
前記第１の伝送プロトコルはＢＡＣｎｅｔ／ＩＰプロトコルを含むことが好ましい。
【０００８】
前記分散型発電デバイスは太陽光発電デバイスであることが好ましい。
【０００９】
前記主監視システムは、
前記発電状態情報を取得して記憶し、前記分散型発電監視サブシステムへ前記電力消費状態情報を送信する第１の主制御サブユニットと、
前記電力消費状態情報を取得して記憶し、前記ＨＶＡＣエネルギー管理サブシステムへ前記発電状態情報を送信する第２の主制御サブユニットと、
前記発電状態情報及び／又は電力消費状態情報に応じて、前記分散型発電デバイスの発電状態を制御する第１の主制御指令と、前記空調システム固有のデバイスの電力消費状態を制御する第２の主制御指令との少なくとも１つを含む主制御指令を生成する第３の主制御サブユニットと、を含むことが好ましい。
【００１０】
前記分散型発電に基づく空調システム用監視システムは、ＴＣＰ／ＩＰプロトコルによって前記主監視システムとデータ交換を行うリモート制御端末、及び／又は、ＲＳ４８５プロトコル、ＢＡＣｎｅｔプロトコル、ＭｏｄｂｕｓプロトコルまたはＣＡＮプロトコルによって前記主監視システムとデータ交換を行うシステムホストマンマシンインターフェースをさらに含むことが好ましい。
【００１１】
前記分散型発電デバイスは、太陽光発電モジュールの発生した直流電力を集めて出力するコンバイナボックスと、交流負荷に電力を供給するインバーターを含み、
前記発電状態情報は、前記分散型発電デバイスの発電量の大きさを表すコンバイナボックス出力電流、及び前記分散型発電デバイスの給電量の大きさを表すインバーター出力電流を含み、
前記分散型発電監視サブシステムは、前記コンバイナボックス出力電流とインバーター出力電流をそれぞれ取得し、前記第１の伝送プロトコルによって前記主監視システムとデータ交換を行うデータ収集器を含むことが好ましい。
【００１２】
前記分散型発電監視サブシステムは、前記データ収集器に接続された、前記データ収集器による収集結果を表示する発電監視マンマシンインターフェースをさらに含むことが好ましい。
【００１３】
前記空調システム固有のデバイスはシステムホストと、冷凍水ポンプと、冷却水ポンプと、冷却塔との少なくとも１つを含み、
前記ＨＶＡＣエネルギー管理サブシステムは、
前記第１の伝送プロトコルによって前記主監視システムとデータ交換を行う主制御器と、
前記電力消費状態情報が得られるように、前記空調システム固有のデバイスに対して一対一の検出を行い、前記電力消費状態情報を前記主制御器に出力する電力計と、
を含むことが好ましい。
【００１４】
前記ＨＶＡＣエネルギー管理サブシステムは、
前記主制御器によって前記第２の制御指令を取得し、前記第２の制御指令に応じて前記空調システム固有のデバイスを連動制御する現場制御器をさらに含むことが好ましい。
【００１５】
前記ＨＶＡＣエネルギー管理サブシステムは、
ユーザーの操作指令に応じて空気パラメータ制御指令を生成し、前記主制御器とデータ交換を行うエリア制御器と、
前記空気パラメータ制御指令に応じて室内空気パラメータを制御する末端制御器と、をさらに含み、
前記末端制御器は、温度制御器、新鮮な空気制御器、還気制御器の少なくとも１つを含むことが好ましい。
【００１６】
分散型発電デバイスと空調システム固有のデバイスを含み、前記空調システム固有のデバイスは、前記分散型発電デバイス、または、前記分散型発電デバイスと幹線給電によって給電され、前記空調システム固有のデバイスに電力を供給する分散型発電に基づく空調システムであって、上述した空調システム用監視システムをさらに含む。
【００１７】
前記空調システム固有のデバイスは遠心冷凍機ユニット（centrifugal water chiller）及び／又はスクリュー冷凍機ユニット（screw water chiller）を含むことが好ましい。
【００１８】
上述した技術方案から見ると、本出願は、分散型発電監視サブシステムとＨＶＡＣエネルギー管理サブシステムによって、分散型発電に基づく空調システムにおける分散型発電デバイスの発電状態情報とシステム固有のデバイスの電力消費状態情報に対する監視をそれぞれ実現するだけでなく、主監視システムが統一的な第１の伝送プロトコルを採用して上述の二つのサブシステムの監視データを取得することで、二つのサブシステムのシームレスな連携とデータ共有を実現し、空調システムの分散型発電デバイスと固有のデバイスに対する協調制御能力を向上させ、従来技術の問題を解決した。
【図面の簡単な説明】
【００１９】
本発明実施例または従来技術における技術方案をより明確に説明するために、以下、実施例または従来技術についての説明に使用される図面を簡単に紹介し、以下の説明における図面は本発明のいくつかの実施例にすぎず、当分野の普通の技術者にとって、創造的な労働をしない前提の下で、これらの図面によって他の図面を取得することもできるのは、自明なことである。
【００２０】
【図１】本発明実施例一による分散型発電に基づく空調システム用監視システムの構成ブロック図である。
【図２】本発明実施例二による分散型発電に基づく空調システム用監視システムの構成ブロック図である。
【図３】本発明実施例三による分散型発電に基づく空調システム用監視システムの構成ブロック図である。
【発明を実施するための形態】
【００２１】
以下、本発明実施例における技術方案について、本発明の実施例における図面を組み合わせて、明確かつ完全に説明する。明らかなように、述べられる実施例は本発明の一部の実施例にすぎず、全ての実施例ではない。本発明における実施例に基づいて、当分野の普通の技術者が創造的な労働をしない前提の下で得られる全ての他の実施例はいずれも本出願の保護請求している範囲に属する。
【００２２】
本発明実施例は、分散型発電に基づく空調システム用監視システムを開示して、従来の分散型発電に基づく空調システムが太陽光発電とデバイスの電力消費をそれぞれ監視して、システム全体の協調制御能力が悪い問題を解決する。
【００２３】
本発明実施例一は、分散型発電に基づく空調システム用監視システムを提供し、前記分散型発電に基づく空調システムは、分散型発電デバイス００１と空調システム固有のデバイス００２を含み、分散型発電デバイス００１の発電量が充分である場合に、例えば、分散型発電デバイス００１の出力電力が、空調システム固有のデバイス００２の運転電力よりも大きいか等しい場合に、完全的に分散型発電デバイス００１によって空調システム固有のデバイス００２に電力を供給することができ、分散型発電デバイス００１の発電量が小さい場合に、例えば、分散型発電デバイス００１の出力電力が空調システム固有のデバイス００２の運転電力よりも小さい場合に、分散型発電デバイス００１と幹線給電によって協同に空調システム固有のデバイス００２に電力を供給し、または幹線給電のみを使用して電力を供給する。
【００２４】
図１を参照すれば、この分散型発電に基づく空調システム用監視システムは、分散型発電監視サブシステム１００と、ＨＶＡＣエネルギー管理サブシステム２００と、主監視システム３００と、を含む。
【００２５】
ここで、分散型発電監視サブシステム１００は、分散型発電デバイス００１の発電状態情報を監視するためのものであり、ＨＶＡＣエネルギー管理サブシステム２００は、前記空調システム固有のデバイス００２の電力消費状態情報を監視するためのものであり、主監視システム３００は、前記発電状態情報と電力消費状態情報をそれぞれ取得し、前記発電状態情報と電力消費状態情報に応じて前記空調システムに対して総合的な監視を行うためのものである。分散型発電監視サブシステム１００とＨＶＡＣエネルギー管理サブシステム２００はそれぞれ、第１の伝送プロトコルによって主監視システム３００とデータ交換を行う。
【００２６】
上記の構成と機能により、本発明実施例は、分散型発電監視サブシステム及びＨＶＡＣエネルギー管理サブシステムによってそれぞれ、分散型発電に基づく空調システムにおける分散型発電デバイスの発電状態情報と空調システム固有のデバイスの電力消費状態情報に対する監視を実現するだけでなく、主監視システムが統一的な第１の伝送プロトコルを採用して前記の二つのサブシステムの監視データを取得することで、二つのサブシステムのシームレスな連携及びデータ共有を実現して、分散型発電監視サブシステムが分散型発電デバイスを監視する際に、分散型発電デバイスの運行状態（即ち、前記発電状態情報）を基にするだけでなく、空調システム固有のデバイスの運行状態（即ち、前記電力消費状態情報）を同時に参考することができ、空調システム固有のデバイスのリアルタイムの電気需要に応じて、分散型発電デバイスの発電電力、異なる空調システム固有のデバイスに出力する電力量の比例等を調整するようにする。相応的に、ＨＶＡＣエネルギー管理サブシステムが空調システム固有のデバイスを監視する場合に、前記電力消費状態情報を基にするだけでなく、同時に前記発電状態情報を参考することができ、分散型発電デバイスのリアルタイムの発電量に応じて、関連する空調システム固有のデバイスの動作状態を調整し、分散型発電デバイスの出力する電気エネルギーを合理的に配分して、無駄な電気エネルギーの損失を減少するようにする。これにより、本発明実施例は、空調システムの分散型発電デバイスと固有のデバイスに対する協調制御能力を向上させ、エネルギー配分の最適化を実現し、空調システムの性能を向上し、従来技術の問題を解決した。
【００２７】
具体的に、本発明実施例に記載の第１の伝送プロトコルは、ＨＶＡＣ空調業界における規格のＢＡＣｎｅｔ／ＩＰプロトコルである。前記空調システム固有のデバイスは、システムホストと、冷凍水ポンプと、冷却水ポンプと、冷却塔との少なくとも１つを含む。
【００２８】
具体的に、システムホストは冷水ユニットであり、より具体的に、水冷式冷凍機ユニットであり、さらに具体的に、遠心水冷式冷凍機ユニットまたはスクリュー式水冷式冷凍機ユニットである。
【００２９】
本発明実施例二は、別の分散型発電に基づく空調システム用監視システムを提供し、この分散型発電に基づく空調システムは、分散型発電デバイス００１と空調システム固有のデバイス００２を含み、分散型発電デバイス００１の発電量が充分である場合に、完全的に分散型発電デバイス００１によって空調システム固有のデバイス００２に電力を供給することができ、分散型発電デバイス００１の発電量が小さい場合に、分散型発電デバイス００１と幹線給電によって協同に空調システム固有のデバイス００２に電力を供給する。
【００３０】
図２を参照すれば、この分散型発電に基づく空調システム用監視システムは、分散型発電監視サブシステム１００と、ＨＶＡＣエネルギー管理サブシステム２００と、主監視システム３００とを含む。
【００３１】
主監視システム３００は、第１の主制御サブユニット３１０と、第２の主制御サブユニット３２０と、第３の主制御サブユニット３３０とを含むことが好ましい。
【００３２】
第１の主制御サブユニット３１０は、第１の伝送プロトコルによって分散型発電監視サブシステム１００とデータ交換を行い、第２の主制御サブユニット３２０は、第１の伝送プロトコルによってＨＶＡＣエネルギー管理サブシステム２００とデータ交換を行うと共に、第１の主制御サブユニット３１０と第２の主制御サブユニット３２０は、直接的にまたは第３の主制御サブユニット３３０を介してデータ交換を行う。
【００３３】
上述した三つの主制御サブユニットの動作過程は以下のようなことを含む。
【００３４】
第１の主制御サブユニット３１０は、分散型発電監視サブシステム１００の収集した分散型発電デバイス００１の発電状態情報を取得して記憶する。第２の主制御サブユニット３２０は、ＨＶＡＣエネルギー管理サブシステム２００の収集した空調システム固有のデバイス００２の電力消費状態情報を取得して記憶する。
【００３５】
第３の主制御サブユニット３３０は、第１の主制御サブユニット３１０と第２の主制御サブユニット３２０によって、それぞれ前記発電状態情報と電力消費状態情報を取得し、前記発電状態情報及び／又は電力消費状態情報によって主制御指令を生成し、前記主制御指令を対応するサブシステム（分散型発電監視サブシステム１００またはＨＶＡＣエネルギー管理サブシステム２００）に送信する。具体的に、前記主制御指令は、分散型発電監視サブシステム１００に送信されて分散型発電デバイスの発電状態を制御する第１の主制御指令と、ＨＶＡＣエネルギー管理サブシステム２００に送信されて空調システム固有のデバイス００２の電力消費状態を制御する第２の主制御指令との少なくとも１つを含む。
【００３６】
第１の主制御サブユニット３１０は、第２の主制御サブユニット３２０に記憶された前記電力消費状態情報を取得して、分散型発電監視サブシステム１００に送信し、第２の主制御サブユニット３２０は、第１の主制御サブユニット３１０に記憶された前記電力消費状態情報を取得して、ＨＶＡＣエネルギー管理サブシステム２００に送信することで、分散型発電監視サブシステム１００とＨＶＡＣエネルギー管理サブシステム２００のシームレスな連携及びデータ共有が実現される。
【００３７】
分散型発電デバイスは、太陽エネルギーを電気エネルギーに変換する太陽光発電モジュールと、太陽光発電モジュールの発生した直流電力を集めて出力するコンバイナボックスとを含み、さらに、交流負荷に電力を供給するインバーターを含むことが好ましい。相応的に、分散型発電監視サブシステム１００は分散型発電デバイス００１の発電状態情報を収集し、ＢＡＣｎｅｔ／ＩＰプロトコルによって前記発電状態情報を第１の主制御サブユニット３１０に伝送するためのデータ収集器１１０を含み、発電状態情報は、具体的に、コンバイナボックスに接続されたコンバイナボックス収集器１２０によって前記分散型発電デバイスの発電量の大きさを表すコンバイナボックス出力電流、及び前記分散型発電デバイスの給電量の大きさを表すインバーター出力電流を含む。具体的に、コンバイナボックス収集器１２０は、コンバイナボックス出力電流を収集し、現場バスによってデータ収集器１１０とデータ交換を行う。
【００３８】
ＨＶＡＣエネルギー管理サブシステム２００は、電力計２１０と主制御器２２０を含むことが好ましい。
【００３９】
電力計２１０は、複数であって、空調システム固有のデバイス００２（システムホスト、冷凍水ポンプ、冷却水ポンプ、冷却塔等を含む）に対応して、各種の空調システム固有のデバイス００２の電力消費状態情報を検出するためのものである。
【００４０】
主制御器２２０は、ＢＡＣｎｅｔ／ＩＰプロトコルによって主監視システム３００とデータ交換を行うためのものであって、電力計２１０の検出結果を取得して、第２の主制御サブユニット３２０に送信することを含む。実際の適用状況によって、主制御器２２０は１つまたは複数であってもよい。
【００４１】
上記の構成及び機能により、本発明実施例は、分散型発電監視サブシステムにおけるデータ収集器によって、分散型発電デバイスの発電状態情報の収集及び主監視システムへのアップロードを実現すると共に、電力計によって空調システム固有のデバイスの電力消費状態情報の収集を実現し、主制御器によって前記電力消費状態情報も主監視システムにアップロードして、さらに、主監視システムは送信手段によって分散型発電監視サブシステムの収集した発電状態情報をＨＶＡＣエネルギー管理サブシステムに送信し、また、ＨＶＡＣエネルギー管理サブシステムの収集した電力消費状態情報を分散型発電監視サブシステムに送信することで、分散型発電監視サブシステムとＨＶＡＣエネルギー管理サブシステムの間のシームレスな連携及びデータ共有が実現され、空調システムの分散型発電デバイスと固有のデバイスに対する協調制御能力を向上させ、従来技術の問題を解決した。また、ＨＶＡＣエネルギー管理サブシステムは、ＨＶＡＣエネルギー管理サブシステム中に設けられた複数の電力計によって、複数の空調システム固有のデバイスに対して一対一の検出を行い、さらに、主制御器等は、全てのデバイスたは関連するデバイスの電力消費状態情報を総合的に分析することで、最適的な制御策略を得ることができ、空調システムの省エネの最大化が実現される。
【００４２】
本発明実施例において、分散型発電監視サブシステムは、電気エネルギー質量調節器、コンバーター等をさらに含み、主監視システムの生成した第１の制御指令等によって分散型発電デバイスの発電功率、異なる空調システム固有のデバイスへ出力する電気エネルギーの配分比等を調節するためのものである。
【００４３】
また、主制御器と電力計との間は、Ｍｏｄｂｕｓ  ＲＴＵプロトコルによってデータ交換を実現すると共に、主制御器は、当該Ｍｏｄｂｕｓ  ＲＴＵプロトコルによって空調システムの除湿機、ユニット等のデバイスへ対応する制御指令を送信してもよい。
【００４４】
また、ＨＶＡＣエネルギー管理サブシステムにおいて、主制御器ごとに１つまたは複数の現場制御器がさらに配置されており、これらの現場制御器はその共通の主制御器によって主監視システムの生成した第２の制御指令を取得し、前記第２の制御指令に応じて前記空調システム固有のデバイスを連動制御し、それぞれの空調システム固有のデバイス同士の協調運行を実現する。
【００４５】
図３に示すように、本発明実施例三において、分散型発電に基づく空調システム用監視システムは、分散型発電監視サブシステム１００と、ＨＶＡＣエネルギー管理サブシステム２００と、主監視システム３００と、リモート制御端末４００とを含む。
【００４６】
本発明実施例は、マルチエージェント技術に基づいて空調システムの三レベル制御を実現し、「三レベル」とは、分散型発電監視サブシステム１００とＨＶＡＣエネルギー管理サブシステム２００からなる現場レベルと、主監視システム３００からなる監視レベルと、リモート制御端末４００からなる管理レベルとを含み、現場レベルと監視レベルとの間は、ＢＡＣｎｅｔ／ＩＰプロトコルによってデータ交換を行い、監視レベルと管理レベルとの間は、ＴＣＰ／ＩＰプロトコルによってデータ交換を行う。
【００４７】
具体的に、主監視システム３００は、第１の主制御サブユニット３１０と、第２の主制御サブユニット３２０と、第３の主制御サブユニット３３０とを含む。
【００４８】
分散型発電デバイスの制御は、第１の主制御サブユニット３１０と、第３の主制御サブユニット３３０と、分散型発電監視サブシステム１００とによって分散型発電マイクグリッド制御ネットワークが構成され、第１の主制御サブユニット３１０と第３の主制御サブユニット３３０はこのマイクグリッド制御ネットワークにおける上層のエージェント（即ち、マイクグリッド監視センターＣＣＵ）に相当し、電力網における各素子への監視を実現し、最適化アルゴリズムによって各分散型発電の出力を特定し、さらに、最適化の結果を下層のエージェントに発送する。分散型発電監視サブシステム１００は下層のエージェントとして、ローカル監視センターに相当し、電力網にける各分散型発電の協調制御を実現し、ＣＣＵの制御を受けることもでき、独立して運行する能力も有している。
【００４９】
空調システム固有のデバイスの制御は、第２の主制御サブユニット３２０、第３の主制御サブユニット３３０とＨＶＡＣエネルギー管理サブシステム２００とによって分散型制御システムが構成され、第２の主制御サブユニット３２０と第３の主制御サブユニット３３０はこの分散型制御システムの上層（具体的に、データ管理サーバー、即ち、ビルディングオートメーションシステム（ＢＡＳ）、歴史文書及び配置データを管理するプラットフォーム、直観操作過程付きのユーザーインターフェースであってもよい）に相当し、ＢＡＣｎｅｔ／ＩＰネットワークによって下層のＨＶＡＣエネルギー管理サブシステム２００と通信し、空調システムの無人自動運転を実現することもでき、システム上層によって画像化管理、データ展示、警報及びイベント管理等の機能を行うこともできる。
【００５０】
特に説明する必要があることは、現場監視を便利にするために、分散型発電監視サブシステム１００は、上記に記載のデータ収集器１１０、コンバイナボックス収集器１２０等のデバイスに加えて、発電デバイスマンマシンインターフェース１３０をさらに含む。発電デバイスマンマシンインターフェース１３０は、必要な場合に人工的な操作によって分散型発電デバイスを制御するように、データ収集器１１０に接続され、データ収集器１１０による収集結果を表示し、図形化した分散型発電デバイスの人工管理操作インターフェースを提供する。
【００５１】
ＨＶＡＣエネルギー管理サブシステム２００は、電力計２１０と、主制御器２２０と、現場制御器２３０とを含み、その具体的な機能は上記の実施例の説明を参照可能である。なお、ＨＶＡＣエネルギー管理サブシステム２００は、空調システムの各制御エリアにおける空気パラメータに対して人工的な調節・制御を行うためのエリア制御器２４０をさらに含み、具体的に、エリア制御器２４０は、ユーザーの操作指令に応じて空気パラメータ制御指令を生成し、対応する末端制御器、例えば温度制御器、新鮮な空気制御器と還気制御器等に送信し、対応するエリアにおける空気温度等のパラメータに対する人工的な調節を実現する。また、エリア制御器２４０はさらに、対応する通信モジュールによって主制御器とデータ交換を行い、ユーザーの操作指令、空気パラメータ制御指令等の情報を主制御器にアップロードし、さらに、監視レベル、管理レベルにアップロードして、三レベルの同期監視を実現する。
【００５２】
本発明実施例による空調システム用監視システムは、前記監視レベルに位置するシステムホストマンマシンインターフェース５００をさらに含み、このシステムホストマンマシンインターフェース５００は、ＲＳ４８５プロトコル、ＢＡＣｎｅｔプロトコル、ＭｏｄｂｕｓプロトコルまたはＣＡＮプロトコルによって主監視システム３００とデータ交換を行い、現在の空調システムの運行状態、データ等を表示する一方で、人工操作インターフェースを提供して、必要な場合に、空調システムを人工的に制御するようにする。
【００５３】
上記の構成と機能により、本発明の実施例は、分散型発電監視サブシステム及びＨＶＡＣエネルギー管理サブシステムによって分散型発電に基づく空調システムにおける分散型発電デバイスの発電状態情報と空調システム固有のデバイスの電力消費状態情報に対する全面監視を実現するだけでなく、主監視システムが統一的な第１の伝送プロトコルを採用して上記の二つのサブシステムの監視データを取得することで、二つのサブシステムのシームレスな連携及びデータ共有が実現され、空調システムの分散型発電デバイスと固有のデバイスに対する協調制御能力を向上させ、電気エネルギーの発生から消費までの全過程かつリアルタイムの監視と、統計と、省エネ調節を実現すると共に、主監視システムは複数の種類の通信モジュールを提供して、リモートクライアントと空調システムの遠心機ホストのマンマシンインターフェースとの間のデータ交換をそれぞれ実現することで、空調システムに対する三レベルの監視が実現され、空調システムの監視方式を多様化にする。
【００５４】
開示された実施例の上記の説明について、当業者に本出願を実現または使用することを可能にする。これらの実施例に対する様々な変更は、当業者にとって自明であって、本文において定義される一般的な原理は本出願の思想または範囲を逸脱しない場合に、他の実施例で実現することができる。そこで、本出願は本文に示されたこれらの実施例に限定されるものではなく、本文に開示された原理と新規な特徴と一致する最も広い範囲に該当するものである。
【図１】
0006357235.tif 000002
【図２】
0006357235.tif 000003
【図３】
0006357235.tif 000004